(57)【要約】【課題】端末の厚みを小さくおさえつつ、折り畳んで携帯する時にレンズカバーを自動的に閉じかつ端末本体を展開してディジタルカメラを使用する時にレンズカバーを自動的に開くことが可能な折り畳み型携帯端末を提供する。【解決手段】上側本体１の側の内部にはヒンジユニット３ａが内蔵され、上側本体１と下側本体２とを回動可能に接続している。下側本体２の側の内部にはディジタルカメラ４とレンズカバー５とが内蔵され、レンズカバー５はカメラ窓部４ａを覆うカバー部５ａと、その円周の一部に設けられたアーム５ｂと、レンズカバー５を下側本体２に回動可能に固定する支点部５ｃとから形成されている。アーム５ｂの端部にはコイルバネ６の一端が取り付けられており、コイルバネ６のもう一端は下側本体２に固定され、コイルバネ６の張力によってレンズカバー５が開いた状態に維持されるようになっている。【選択図】　　　図２
2004104546.tif 000002
【特許請求の範囲】
【請求項１】
液晶表示部が配設された上側本体と、操作部が配設された下側本体と、前記液晶表示部の表示画面に対して直交する方向に配置されかつ前記上側本体と前記下側本体とを前記表示画面と平行に回動自在に支持するヒンジ部材と、前記ヒンジ部材の中心軸と平行な軸を中心軸として前記ヒンジ部近傍に配置されたディジタルカメラと、前記上側本体と前記下側本体との回動動作に連動して動作しかつ前記上側本体と前記下側本体とが重ね合わされた状態の時に前記ディジタルカメラのレンズ部を遮蔽するレンズカバーとを有することを特徴とする折り畳み型携帯端末。
【請求項２】
前記ヒンジ部材は、前記上側本体と前記下側本体とを展開状態で固定するロック機構を含むことを特徴とする請求項１記載の折り畳み型携帯端末。
【請求項３】
前記ロック機構によって前記上側本体と前記下側本体とが展開状態で固定されている時に前記レンズカバーによる前記レンズ部の遮蔽を解除した状態に維持する弾性部材を含むことを特徴とする請求項２記載の折り畳み型携帯端末。
【請求項４】
前記上側本体と前記下側本体とが重ね合わされた状態の時に前記レンズカバーによる前記レンズ部の遮蔽状態を維持するピン部材を含むことを特徴とする請求項１から請求項３のいずれか記載の折り畳み型携帯端末。
【請求項５】
前記ディジタルカメラ及び前記レンズカバーを前記下側本体に配置したことを特徴とする請求項１から請求項４のいずれか記載の折り畳み型携帯端末。
【請求項６】
前記レンズカバーを前記ディジタルカメラのレンズ部の焦点距離を可変するレンズとしたことを特徴とする請求項１から請求項５のいずれか記載の折り畳み型携帯端末。
【発明の詳細な説明】
【０００１】
【発明の属する技術分野】
本発明は折り畳み型携帯端末に関し、特に折り畳み型携帯端末にディジタルカメラを実装するための構造に関する。
【０００２】
【従来の技術】
近年、折り畳み型携帯端末においても、ディジタルカメラを内蔵する機種が普及してきている。折り畳み型携帯端末では、表示画面とキー操作部とが同一面上に設けられた通常の携帯端末よりも広い表示画面を有しており、この折り畳み型携帯端末特有の液晶画面にディジタルカメラで撮像した画像を表示することで、ディジタルカメラの使い勝手を通常の携帯端末よりもよくしている。
【０００３】
上記のカメラ付き携帯端末においては、ディジタルカメラのレンズを保護するためのレンズ開閉カバーの装着方法（例えば、特許文献１，２参照）、あるいはディジタルカメラのレンズを異なる種別のレンズに交換する方法として、使用時に接写レンズを装着する方法（例えば、特許文献３参照）等が提案されている。
【０００４】
【特許文献１】
特開２００１−３０９００３号公報（第２−３頁、図１）
【特許文献２】
特開２００１−３０９０１２号公報（第２−３頁、図１）
【特許文献３】
実用新案登録第３０８５４７６号公報（第４−５頁、図１）
【０００５】
【発明が解決しようとする課題】
しかしながら、上述した従来の折り畳み型携帯端末では、ディジタルカメラを実装すると、携帯端末のディジタルカメラ部分の厚みを小さくしにくいという問題がある。また、ディジタルカメラのレンズ部分が保護されておらず携帯時に埃や汚れが付着し易いので、レンズの保護カバーがあることが望ましいが、端末本体とは別に保護カバーを準備すると着脱が煩わしく、また携帯する時に邪魔になる。さらに、端末本体にレンズの保護カバーをつけた場合も、使用時にいちいち開閉動作を行わなければならず、この操作が煩わしい。
【０００６】
そこで、本発明の目的は上記の問題点を解消し、端末の厚みを小さくおさえつつ、折り畳んで携帯する時にレンズカバーを自動的に閉じかつ端末本体を展開してディジタルカメラを使用する時にレンズカバーを自動的に開くことができる折り畳み型携帯端末を提供することにある。
【０００７】
【課題を解決するための手段】
本発明による折り畳み型携帯端末は、液晶表示部が配設された上側本体と、操作部が配設された下側本体と、前記液晶表示部の表示画面に対して直交する方向に配置されかつ前記上側本体と前記下側本体とを前記表示画面と平行に回動自在に支持するヒンジ部材と、前記ヒンジ部材の中心軸と平行な軸を中心軸として前記ヒンジ部近傍に配置されたディジタルカメラと、前記上側本体と前記下側本体との回動動作に連動して動作しかつ前記上側本体と前記下側本体とが重ね合わされた状態の時に前記ディジタルカメラのレンズ部を遮蔽するレンズカバーとを備えている。
【０００８】
すなわち、本発明の折り畳み型携帯端末は、端末中央付近に端末の正面から鉛直方向（液晶表示部の表示画面に対して直交する方向）に折り畳み機構の回転軸を配設し、この回転軸の中心部にディジタルカメラ及びレンズカバーを実装し、レンズカバーを端末本体の折り畳み機構と連動して開閉させることで、端末の厚みを小さくおさえつつ、折り畳んで携帯する時にレンズカバーを自動的に閉じ、端末本体を展開してディジタルカメラを使用する時にレンズカバーを自動的に開くことが可能となる。
【０００９】
上記のように構成することで、本発明の折り畳み型携帯端末では、レンズカバーを端末本体の折り畳み機構と連動して開閉することによって、折り畳んで携帯する時にレンズカバーを自動的に閉じ、端末本体を展開してディジタルカメラを使用する時にレンズカバーを自動的に開くので、折り畳んで携帯する時にディジタルカメラのレンズ部分に埃や汚れが付着することを自動的に防止可能となり、折り畳みを展開すると自動的にディジタルカメラとして使用可能な状態にすることが可能となる。
【００１０】
また、本発明の折り畳み型携帯端末では、折り畳み型携帯端末において表示画面に対して直交する方向（鉛直方向）に設けられたヒンジ部にディジタルカメラを配置することで、上下の本体の各厚みをディジタルカメラの厚みよりも薄くすることが可能となるので、端末の総厚（折り畳んだ状態の厚み）を薄くすることが可能となる。
【００１１】
【発明の実施の形態】
次に、本発明の実施例について図面を参照して説明する。図１（ａ）は本発明の一実施例による折り畳み型携帯端末の展開時に正面側から見た状態を示す斜視図であり、図１（ｂ）は本発明の一実施例による折り畳み型携帯端末の展開時に背面側から見た状態を示す斜視図である。これらの図において、本発明の一実施例による折り畳み型携帯端末は上側本体１と、下側本体２と、ヒンジ部３とから構成されている。
【００１２】
ヒンジ部３は液晶表示部１ａの表示画面に対して直交する方向に配置され、上側本体１と下側本体２とを表示画面と平行に回動自在に支持するとともに、上側本体１と下側本体２とを回動可能に接続して展開状態で固定可能なロック機構（図示せず）を有している。
【００１３】
図１（ａ）は上側本体１の液晶表示部１ａや下側本体２の操作部２ａのある正面側から見た状態を示し、図１（ｂ）はヒンジ部３のカメラ窓部２ｂがある背面側から見た状態を示している。上側本体１には正面側に液晶表示部１ａが配置され、下側本体２には正面側に操作部２ａが配置されるとともに、ヒンジ部３の中心付近にディジタルカメラ４が配置されている。
【００１４】
図２（ａ）は本発明の一実施例による折り畳み型携帯端末を折り畳んで背面方向から見たディジタルカメラ４付近の断面図であり、図２（ｂ）は本発明の一実施例による折り畳み型携帯端末を折り畳んで側面方向から見たディジタルカメラ４付近の断面図である。尚、本発明の一実施例による折り畳み型携帯端末では上側本体１と下側本体２とがヒンジ部３を中心として回動し、互いに重ね合わされた状態を折り畳んだ状態とする。
【００１５】
図２（ｂ）において、上側本体１の側の内部にはヒンジユニット３ａが内蔵され、上側本体１と下側本体２とを回動可能に接続している。また、下側本体２の側の内部にはディジタルカメラ４とレンズカバー５とが内蔵されている。
【００１６】
図２（ａ）において、レンズカバー５はカメラ窓部４ａを覆う（カメラ窓部４ａを遮蔽する）カバー部５ａと、その円周の一部に設けられたアーム５ｂとから形成されている。アーム５ｂの中央部にはレンズカバー５を下側本体２に回動可能に固定する支点部５ｃが配置されている。
【００１７】
また、アーム５ｂの端部にはコイルバネ６の一端が取り付けられており、コイルバネ６のもう一端は下側本体２に固定されている。このコイルバネ６の張力によって、レンズカバー５が開いた状態に維持されるようになっている。
【００１８】
図３は本発明の一実施例による折り畳み型携帯端末を展開して背面側から見たディジタルカメラ４の付近の断面図である。図３において、上側本体１のレンズカバー５のアーム５ｂの端部に接触する位置に、ピン１ｂが設けられている。このピン１ｂは折り畳み型携帯端末を折り畳んだ時、レンズカバー５のアーム５ｂを押し、レンズカバー５を閉じた状態に維持することができるようになっている。
【００１９】
これら図１〜図３を参照して本発明の一実施例による折り畳み型携帯端末の動作について説明する。図３に示すように、折り畳み型携帯端末の折り畳みを展開した状態においてはレンズカバー５がコイルバネ６によって開いた状態で保持されている。
【００２０】
しかしながら、折り畳み型携帯端末を折り畳むと、図２（ａ）に示すように、上側本体１に設けられたピン１ｂによってレンズカバー５のアーム５ｂが押され、レンズカバー５が支点部５ｃを中心に回転することで、レンズカバー５が閉じた状態で保持されることとなる。
【００２１】
このように、本実施例では、レンズカバー５を端末本体の折り畳み機構と連動して開閉することによって、折り畳んで携帯する時にレンズカバー５を自動的に閉じ、端末本体を展開してディジタルカメラ４を使用する時にレンズカバー５を自動的に開くことができるので、折り畳んで携帯する時にディジタルカメラ４のレンズ部分に埃や汚れが付着することを自動的に防止することができ、折り畳みを展開すると自動的にディジタルカメラ４を使用可能な状態にすることができる。
【００２２】
また、本実施例では、ディジタルカメラ４を折り畳み型携帯端末のヒンジ部３に配置することで、上側本体１及び下側本体２各々の厚みをディジタルカメラ４の厚みよりも薄くすることができるので、折り畳み型携帯端末の総厚（折り畳んだ状態での厚み）を薄くすることができる。
【００２３】
尚、本実施例では、レンズカバー５のカバー部５ａによってディジタルカメラ４のレンズを遮蔽しているが、カバー部５ａをディジタルカメラ４の焦点距離を可変するレンズ（接写用レンズや望遠用レンズ）とすることも可能である。
【００２４】
この場合、接写用レンズはカバー部５ａの外形形状、またはカバー部５ａを保持する方法自体がレンズカバー５と同様であるが、上側本体１の折り畳み開閉動作に連動して接写用レンズや望遠用レンズが移動し、折り畳んだ時にその接写用レンズや望遠用レンズを用いた接写や望遠撮影が可能となる。
【００２５】
【発明の効果】
以上説明したように本発明は、液晶表示部が配設された上側本体と、操作部が配設された下側本体と、液晶表示部の表示画面に対して直交する方向に配置されかつ上側本体と下側本体とを表示画面と平行に回動自在に支持するヒンジ部材と、ヒンジ部近傍に配置されたディジタルカメラと、上側本体と下側本体との回動動作に連動して動作しかつ上側本体と下側本体とが重ね合わされた状態の時にディジタルカメラのレンズ部を遮蔽するレンズカバーとを備えることによって、端末の厚みを小さくおさえつつ、折り畳んで携帯する時にレンズカバーを自動的に閉じかつ端末本体を展開してディジタルカメラを使用する時にレンズカバーを自動的に開くことができるという効果が得られる。
【図面の簡単な説明】
【図１】（ａ）は本発明の一実施例による折り畳み型携帯端末の展開時に正面側から見た状態を示す斜視図、（ｂ）は本発明の一実施例による折り畳み型携帯端末の展開時に背面側から見た状態を示す斜視図である。
【図２】（ａ）は本発明の一実施例による折り畳み型携帯端末を折り畳んで背面方向から見たディジタルカメラ付近の断面図、（ｂ）は本発明の一実施例による折り畳み型携帯端末を折り畳んで側面方向から見たディジタルカメラ付近の断面図である。
【図３】本発明の一実施例による折り畳み型携帯端末を展開して背面側から見たディジタルカメラの付近の断面図である。
【符号の説明】
１　上側本体
１ａ　液晶表示部
１ｂ　ピン
２　下側本体
２ａ　操作部
２ｂ　カメラ窓部
３　ヒンジ部
３ａ　ヒンジユニット
４　ディジタルカメラ
５　レンズカバー
５ａ　カバー部
５ｂ　アーム
５ｃ　支点部
６　コイルバネ
【図１】
2004104546.tif 000003
【図２】
2004104546.tif 000004
【図３】
2004104546.tif 000005